(57)【特許請求の範囲】
【請求項１】
アンテナ及び無線部にて受信された信号を、複数のマルチパスに対応して複数のフィンガー受信部にて逆拡散し、逆拡散した信号を合成して出力するとともに、通話開始後にて前記アンテナ及び無線部にて受信された信号に音声またはデータが含まれていない場合に、前記複数のフィンガー受信部のうち、前記アンテナ及び無線部にて受信された信号に音声またはデータが含まれているかどうかを検出するために必要となる最小限の数のフィンガー受信部のみを動作させ、他のフィンガー受信部の動作を停止させる受信方法において、
通信を行っている基地局装置が複数存在する場合、該複数の基地局装置から送信され、前記アンテナ及び無線部にて受信された信号に音声またはデータが含まれているかどうかを前記複数の基地局装置から送信された信号毎にそれぞれ検出するために必要となる数のフィンガー受信部のみを動作させることを特徴とする受信方法。
【請求項２】
無線を介して送信されてきた信号を受信するためのアンテナ及び無線部と、複数のマルチパスにそれぞれ対応して、前記アンテナ及び無線部を介して受信された信号を逆拡散する複数のフィンガー受信部と、該複数のフィンガー受信部にて逆拡散された信号を合成する合成部とを少なくとも有してなる受信回路を用い、通話開始後にて前記アンテナ及び無線部にて受信された信号に音声またはデータが含まれていない場合に、前記複数のフィンガー受信部のうち、前記アンテナ及び無線部にて受信された信号に音声またはデータが含まれているかどうかを検出するために必要となる最小限の数のフィンガー受信部のみを動作させ、他のフィンガー受信部の動作を停止させる受信方法において、
通信を行っている基地局装置が複数存在する場合、該複数の基地局装置から送信され、前記アンテナ及び無線部にて受信された信号に音声またはデータが含まれているかどうかを前記複数の基地局装置から送信された信号毎にそれぞれ検出するために必要となる数のフィンガー受信部のみを動作させることを特徴とする受信方法。
【請求項３】
アンテナ及び無線部にて受信された信号を、複数のマルチパスに対応して複数のフィンガー受信部にて逆拡散し、逆拡散した信号を合成して出力するとともに、通話開始後にて前記アンテナ及び無線部にて受信された信号に音声またはデータが含まれていない場合に、前記複数のフィンガー受信部のうち、前記アンテナ及び無線部にて受信された信号に音声またはデータが含まれているかどうかを検出するために必要となる最小限の数のフィンガー受信部のみを動作させ、他のフィンガー受信部の動作を停止させる受信方法において、
ソフトハンドオーバー状態である場合、該受信回路と通信を行っている基地局装置の数のフィンガー受信部のみを動作させることを特徴とする受信方法。
【請求項４】
無線を介して送信されてきた信号を受信するためのアンテナ及び無線部と、複数のマルチパスにそれぞれ対応して、前記アンテナ及び無線部を介して受信された信号を逆拡散する複数のフィンガー受信部と、該複数のフィンガー受信部にて逆拡散された信号を合成する合成部とを少なくとも有してなる受信回路を用い、通話開始後にて前記アンテナ及び無線部にて受信された信号に音声またはデータが含まれていない場合に、前記複数のフィンガー受信部のうち、前記アンテナ及び無線部にて受信された信号に音声またはデータが含まれているかどうかを検出するために必要となる最小限の数のフィンガー受信部のみを動作させ、他のフィンガー受信部の動作を停止させる受信方法において、
ソフトハンドオーバー状態である場合、該受信回路と通信を行っている基地局装置の数のフィンガー受信部のみを動作させることを特徴とする受信方法。
【請求項５】
請求項１乃至４のいずれか１項に記載の受信方法において、
動作するフィンガー受信部の数は、前記複数のフィンガー受信部に対するクロックの供給によって制御することを特徴とする受信方法。
【請求項６】
アンテナ及び無線部にて受信されたデータを、複数のマルチパスに対応して複数のフィンガー受信部にて逆拡散し、逆拡散したデータを合成して出力するとともに、逆拡散したデータに基づいて音声の有無を検出し、通話開始後にて前記複数のフィンガー受信部にて逆拡散されたデータに音声が含まれていない場合に、前記複数のフィンガー受信部のうち、前記アンテナ及び無線部にて受信されたデータに音声が含まれているかどうかを検出するために必要となる最小限の数のフィンガー受信部のみを動作させ、他のフィンガー受信部の動作を停止させる受信方法において、
前記複数のフィンガー受信部のうち最も相関値が高いフィンガー受信部を常時動作させておくことを特徴とする受信方法。
【請求項７】
データを受信するためのアンテナ及び無線部と、複数のマルチパスにそれぞれ対応して、前記アンテナ及び無線部を介して受信されたデータを逆拡散する複数のフィンガー受信部と、該複数のフィンガー受信部にて逆拡散されたデータを合成する合成部とを少なくとも有してなる受信回路を用い、前記複数のフィンガー受信部にて逆拡散されたデータに基づいて音声の有無を検出し、通話開始後にて前記複数のフィンガー受信部にて逆拡散されたデータに音声が含まれていない場合に、前記複数のフィンガー受信部のうち、前記アンテナ及び無線部にて受信されたデータに音声が含まれているかどうかを検出するために必要となる最小限の数のフィンガー受信部のみを動作させる受信方法において、
前記複数のフィンガー受信部のうち最も相関値が高いフィンガー受信部を常時動作させておくことを特徴とする受信方法。
【請求項８】
請求項６または請求項７に記載の受信方法において、
音声の有音を検出した場合に全てのフィンガー受信部を動作させることを特徴とする受信方法。
【請求項９】
請求項６乃至８のいずれか１項に記載の受信方法において、
該受信回路がハンドオーバー状態である場合は、前記複数のフィンガー受信部のうち最低２つのフィンガー受信部を常時動作させ、該受信回路がハンドオーバー状態ではない場合は、前記複数のフィンガー受信部のうち１つのフィンガー受信部を常時動作させておくことを特徴とする受信方法。
【請求項１０】
請求項９に記載の受信方法において、
該受信回路がハンドオーバー状態である場合は、前記複数のフィンガー受信部のうち最も相関値が高い２つのフィンガー受信部を常時動作させ、該受信回路がハンドオーバー状態ではない場合は、前記複数のフィンガー受信部のうち最も相関値が高いフィンガー受信部を常時動作させておくことを特徴とする受信方法。
【請求項１１】
アンテナ及び無線部にて受信されたデータを、複数のマルチパスに対応して複数のフィンガー受信部にて逆拡散し、逆拡散したデータを合成し、合成したデータを復号して出力するとともに、復号したデータに基づいて音声の有無を検出し、通話開始後にて前記複数のフィンガー受信部にて逆拡散されたデータに音声が含まれていない場合に、前記複数のフィンガー受信部のうち、前記アンテナ及び無線部にて受信されたデータに音声が含まれているかどうかを検出するために必要となる最小限の数のフィンガー受信部のみを動作させ、他のフィンガー受信部の動作を停止させる受信方法において、
前記複数のフィンガー受信部のうち最も相関値が高いフィンガー受信部を常時動作させておくことを特徴とする受信方法。
【請求項１２】
データを受信するためのアンテナ及び無線部と、複数のマルチパスにそれぞれ対応して、前記アンテナ及び無線部を介して受信されたデータを逆拡散する複数のフィンガー受信部と、該複数のフィンガー受信部にて逆拡散されたデータを合成する合成部と、該合成部にて合成されたデータを復号する復号部とを少なくとも有してなる受信回路を用い、前記復号部にて復号されたデータに基づいて音声の有無を検出し、通話開始後にて前記複数のフィンガー受信部にて逆拡散されたデータに音声が含まれていない場合に、前記複数のフィンガー受信部のうち、前記アンテナ及び無線部にて受信されたデータに音声が含まれているかどうかを検出するために必要となる最小限の数のフィンガー受信部のみを動作させ、他のフィンガー受信部の動作を停止させる受信方法において、
前記複数のフィンガー受信部のうち最も相関値が高いフィンガー受信部を常時動作させておくことを特徴とする受信方法。
【請求項１３】
請求項１１または請求項１２に記載の受信方法において、
音声の有音を検出した場合に全てのフィンガー受信部を動作させることを特徴とする受信方法。
【請求項１４】
無線を介して送信されてきた信号を受信するためのアンテナ及び無線部と、複数のマルチパスにそれぞれ対応して、前記アンテナ及び無線部を介して受信された信号を逆拡散する複数のフィンガー受信部と、該複数のフィンガー受信部にて逆拡散された信号を合成する合成部とを少なくとも有し、通話開始後にて前記アンテナ及び無線部にて受信された信号に音声またはデータが含まれていない場合に、前記複数のフィンガー受信部のうち、前記アンテナ及び無線部にて受信された信号に音声またはデータが含まれているかどうかを検出するために必要となる最小限の数のフィンガー受信部のみが動作し、他のフィンガー受信部の動作が停止する受信回路において、
通信を行っている基地局装置が複数存在する場合、該複数の基地局装置から送信され、前記アンテナ及び無線部にて受信された信号に音声またはデータが含まれているかどうかを前記複数の基地局装置から送信された信号毎にそれぞれ検出するために必要となる数のフィンガー受信部のみを動作させることを特徴とする受信回路。
【請求項１５】
無線を介して送信されてきた信号を受信するためのアンテナ及び無線部と、複数のマルチパスにそれぞれ対応して、前記アンテナ及び無線部を介して受信された信号を逆拡散する複数のフィンガー受信部と、該複数のフィンガー受信部にて逆拡散された信号を合成する合成部とを少なくとも有し、通話開始後にて前記アンテナ及び無線部にて受信された信号に音声またはデータが含まれていない場合に、前記複数のフィンガー受信部のうち、前記アンテナ及び無線部にて受信された信号に音声またはデータが含まれているかどうかを検出するために必要となる最小限の数のフィンガー受信部のみが動作し、他のフィンガー受信部の動作が停止する受信回路において、
ソフトハンドオーバー状態である場合、該受信回路と通信を行っている基地局装置の数のフィンガー受信部のみを動作させることを特徴とする受信回路。
【請求項１６】
データを受信するためのアンテナ及び無線部と、複数のマルチパスにそれぞれ対応して、前記アンテナ及び無線部を介して受信されたデータを逆拡散する複数のフィンガー受信部と、該複数のフィンガー受信部にて逆拡散されたデータを合成する合成部と、前記フィンガー受信部にて逆拡散されたデータに基づいて音声の有無を検出する検出手段と、通話開始後にて前記検出手段にて無音状態が検出された場合に、前記複数のフィンガー受信部のうち、前記検出手段にて音声の有無を検出するために必要となる最小限の数のフィンガー受信部のみを動作させ、他のフィンガー受信部の動作を停止させる制御手段とを少なくとも有してなる受信回路において、
前記制御手段は、前記複数のフィンガー受信部のうち最も相関値が高いフィンガー受信部を常時動作させておくことを特徴とする受信回路。
【請求項１７】
データを受信するためのアンテナ及び無線部と、複数のマルチパスにそれぞれ対応して、前記アンテナ及び無線部を介して受信されたデータを逆拡散する複数のフィンガー受信部と、該複数のフィンガー受信部にて逆拡散されたデータを合成する合成部と、該合成部にて合成されたデータを復号する復号部と、前記復号部にて復号されたデータに基づいて音声の有無を検出する検出手段と、通話開始後にて前記検出手段にて無音状態が検出された場合に、前記複数のフィンガー受信部のうち、前記検出手段にて音声の有無を検出するために必要となる最小限の数のフィンガー受信部のみを動作させ、他のフィンガー受信部の動作を停止させる制御手段とを少なくとも有してなる受信回路において、
前記制御手段は、前記複数のフィンガー受信部のうち最も相関値が高いフィンガー受信部を常時動作させておくことを特徴とする受信回路。
【請求項１８】
データを受信するためのアンテナ及び無線部と、複数のマルチパスにそれぞれ対応して、前記アンテナ及び無線部を介して受信されたデータを逆拡散する複数のフィンガー受信部と、該複数のフィンガー受信部にて逆拡散されたデータを合成する合成部と、前記フィンガー受信部にて逆拡散されたデータに基づいて音声の有無を検出する検出手段と、通話開始後にて前記検出手段にて無音状態が検出された場合に、前記複数のフィンガー受信部のうち、前記検出手段にて音声の有無を検出するために必要となる最小限の数のフィンガー受信部のみを動作させ、他のフィンガー受信部の動作を停止させる制御手段とを少なくとも有してなる受信回路において、
前記制御手段は、該受信回路がハンドオーバー状態である場合は、前記複数のフィンガー受信部のうち最低２つのフィンガー受信部を常時動作させ、該受信回路がハンドオーバー状態ではない場合は、前記複数のフィンガー受信部のうち１つのフィンガー受信部を常時動作させておくことを特徴とする受信回路。
【請求項１９】
データを受信するためのアンテナ及び無線部と、複数のマルチパスにそれぞれ対応して、前記アンテナ及び無線部を介して受信されたデータを逆拡散する複数のフィンガー受信部と、該複数のフィンガー受信部にて逆拡散されたデータを合成する合成部と、該合成部にて合成されたデータを復号する復号部と、前記復号部にて復号されたデータに基づいて音声の有無を検出する検出手段と、通話開始後にて前記検出手段にて無音状態が検出された場合に、前記複数のフィンガー受信部のうち、前記検出手段にて音声の有無を検出するために必要となる最小限の数のフィンガー受信部のみを動作させ、他のフィンガー受信部の動作を停止させる制御手段とを少なくとも有してなる受信回路において、
前記制御手段は、該受信回路がハンドオーバー状態である場合は、前記複数のフィンガー受信部のうち最低２つのフィンガー受信部を常時動作させ、該受信回路がハンドオーバー状態ではない場合は、前記複数のフィンガー受信部のうち１つのフィンガー受信部を常時動作させておくことを特徴とする受信回路。
【請求項２０】
請求項１８または請求項１９に記載の受信回路において、
前記制御手段は、該受信回路がハンドオーバー状態である場合は、前記複数のフィンガー受信部のうち最も相関値が高い２つのフィンガー受信部を常時動作させ、該受信回路がハンドオーバー状態ではない場合は、前記複数のフィンガー受信部のうち最も相関値が高いフィンガー受信部を常時動作させておくことを特徴とする受信回路。
【発明の詳細な説明】
【０００１】
【発明の属する技術分野】
本発明は、ＣＤＭＡ（Ｃｏｄｅ  Ｄｉｖｉｓｉｏｎ  Ｍｕｌｔｉｐｌｅ  Ａｃｃｅｓｓ）方式が適用された移動通信システムに関し、特に、ＣＤＭＡ方式が適用された移動通信システムにおける移動端末内に設けられた受信回路に関する。
【０００２】
【従来の技術】
近年、移動通信システムにおいては、その加入者が増加の一途を辿っており、加入者容量の増加が求められている。そこで、加入者容量を増加させることができる１つの方式として、１つの周波数帯域を数学的に直交する複数のコードによって拡散された信号で共有するＣＤＭＡ方式が考えられている。
【０００３】
ＣＤＭＡ方式が適用された移動通信システムにおいては、移動端末の受信回路内に、送信されてきたデータの逆拡散を行うフィンガー受信部が複数のマルチパスに対応して複数設けられており、各フィンガー受信部にてデータが逆拡散された後、逆拡散されたデータが合成されている。
【０００４】
図１４は、従来の移動通信システムにおける移動端末内に設けられた受信回路の一構成例を示すブロック図である。
【０００５】
図１４に示すように本従来例においては、データを受信するためのアンテナ１及び無線部２と、複数のマルチパスに対応して、アンテナ１及び無線部２を介して受信されたデータを逆拡散する複数のフィンガー受信部３−１〜３−ｎと、フィンガー受信部３−１〜３−ｎにて逆拡散されたデータを合成する最大比合成部４と、各マルチパス成分を検出するサーチエンジン５と、フィンガー受信部３−１〜３−ｎの動作タイミングを制御するタイミング制御部７と、サーチエンジン５における検出結果に基づいてタイミング制御部７の動作を制御するＣＰＵ６とが設けられている。
【０００６】
上記のように構成された受信回路においては、アンテナ１及び無線部２にてデータが受信されると、受信された信号が複数のフィンガー受信部３−１〜３−ｎにて逆拡散され、その後、最大比合成部４において、複数のフィンガー受信部３−１〜３−ｎにて逆拡散されたデータが合成され、後段の回路（不図示）に出力される。
【０００７】
なお、複数のフィンガー受信部３−１〜３−ｎは、データ受信時においては全てが動作している。
【０００８】
【発明が解決しようとする課題】
しかしながら上述したような従来の受信回路においては、データ受信時においては無音状態においても複数のフィンガー受信部が全て動作しているため、無音状態において無駄な電流を消費してしまうという問題点がある。
【０００９】
本発明は、上述したような従来の技術が有する問題点に鑑みてなされたものであって、無音状態における消費電流の低減を図ることができる受信回路を提供することを目的とする。
【００１０】
【課題を解決するための手段】
上記目的を達成するために本発明は、
アンテナ及び無線部にて受信された信号を、複数のマルチパスに対応して複数のフィンガー受信部にて逆拡散し、逆拡散した信号を合成して出力するとともに、通話開始後にて前記アンテナ及び無線部にて受信された信号に音声またはデータが含まれていない場合に、前記複数のフィンガー受信部のうち、前記アンテナ及び無線部にて受信された信号に音声またはデータが含まれているかどうかを検出するために必要となる最小限の数のフィンガー受信部のみを動作させ、他のフィンガー受信部の動作を停止させる受信方法において、
通信を行っている基地局装置が複数存在する場合、該複数の基地局装置から送信され、前記アンテナ及び無線部にて受信された信号に音声またはデータが含まれているかどうかを前記複数の基地局装置から送信された信号毎にそれぞれ検出するために必要となる数のフィンガー受信部のみを動作させることを特徴とする。
【００１５】
また、無線を介して送信されてきた信号を受信するためのアンテナ及び無線部と、複数のマルチパスにそれぞれ対応して、前記アンテナ及び無線部を介して受信された信号を逆拡散する複数のフィンガー受信部と、該複数のフィンガー受信部にて逆拡散された信号を合成する合成部とを少なくとも有してなる受信回路を用い、通話開始後にて前記アンテナ及び無線部にて受信された信号に音声またはデータが含まれていない場合に、前記複数のフィンガー受信部のうち、前記アンテナ及び無線部にて受信された信号に音声またはデータが含まれているかどうかを検出するために必要となる最小限の数のフィンガー受信部のみを動作させ、他のフィンガー受信部の動作を停止させる受信方法において、
通信を行っている基地局装置が複数存在する場合、該複数の基地局装置から送信され、前記アンテナ及び無線部にて受信された信号に音声またはデータが含まれているかどうかを前記複数の基地局装置から送信された信号毎にそれぞれ検出するために必要となる数のフィンガー受信部のみを動作させることを特徴とする。
【００１６】
また、アンテナ及び無線部にて受信された信号を、複数のマルチパスに対応して複数のフィンガー受信部にて逆拡散し、逆拡散した信号を合成して出力するとともに、通話開始後にて前記アンテナ及び無線部にて受信された信号に音声またはデータが含まれていない場合に、前記複数のフィンガー受信部のうち、前記アンテナ及び無線部にて受信された信号に音声またはデータが含まれているかどうかを検出するために必要となる最小限の数のフィンガー受信部のみを動作させ、他のフィンガー受信部の動作を停止させる受信方法において、
ソフトハンドオーバー状態である場合、該受信回路と通信を行っている基地局装置の数のフィンガー受信部のみを動作させることを特徴とする。
また、無線を介して送信されてきた信号を受信するためのアンテナ及び無線部と、複数のマルチパスにそれぞれ対応して、前記アンテナ及び無線部を介して受信された信号を逆拡散する複数のフィンガー受信部と、該複数のフィンガー受信部にて逆拡散された信号を合成する合成部とを少なくとも有してなる受信回路を用い、通話開始後にて前記アンテナ及び無線部にて受信された信号に音声またはデータが含まれていない場合に、前記複数のフィンガー受信部のうち、前記アンテナ及び無線部にて受信された信号に音声またはデータが含まれているかどうかを検出するために必要となる最小限の数のフィンガー受信部のみを動作させ、他のフィンガー受信部の動作を停止させる受信方法において、
ソフトハンドオーバー状態である場合、該受信回路と通信を行っている基地局装置の数のフィンガー受信部のみを動作させることを特徴とする。
【００１７】
また、動作するフィンガー受信部の数は、前記複数のフィンガー受信部に対するクロックの供給によって制御することを特徴とする。
【００２２】
また、アンテナ及び無線部にて受信されたデータを、複数のマルチパスに対応して複数のフィンガー受信部にて逆拡散し、逆拡散したデータを合成して出力するとともに、逆拡散したデータに基づいて音声の有無を検出し、通話開始後にて前記複数のフィンガー受信部にて逆拡散されたデータに音声が含まれていない場合に、前記複数のフィンガー受信部のうち、前記アンテナ及び無線部にて受信されたデータに音声が含まれているかどうかを検出するために必要となる最小限の数のフィンガー受信部のみを動作させ、他のフィンガー受信部の動作を停止させる受信方法において、
前記複数のフィンガー受信部のうち最も相関値が高いフィンガー受信部を常時動作させておくことを特徴とする。
また、データを受信するためのアンテナ及び無線部と、複数のマルチパスにそれぞれ対応して、前記アンテナ及び無線部を介して受信されたデータを逆拡散する複数のフィンガー受信部と、該複数のフィンガー受信部にて逆拡散されたデータを合成する合成部とを少なくとも有してなる受信回路を用い、前記複数のフィンガー受信部にて逆拡散されたデータに基づいて音声の有無を検出し、通話開始後にて前記複数のフィンガー受信部にて逆拡散されたデータに音声が含まれていない場合に、前記複数のフィンガー受信部のうち、前記アンテナ及び無線部にて受信されたデータに音声が含まれているかどうかを検出するために必要となる最小限の数のフィンガー受信部のみを動作させる受信方法において、
前記複数のフィンガー受信部のうち最も相関値が高いフィンガー受信部を常時動作させておくことを特徴とする。
また、音声の有音を検出した場合に全てのフィンガー受信部を動作させることを特徴とする。
【００２３】
また、該受信回路がハンドオーバー状態である場合は、前記複数のフィンガー受信部のうち最低２つのフィンガー受信部を常時動作させ、
該受信回路がハンドオーバー状態ではない場合は、前記複数のフィンガー受信部のうち１つのフィンガー受信部を常時動作させておくことを特徴とする。
【００２４】
また、該受信回路がハンドオーバー状態である場合は、前記複数のフィンガー受信部のうち最も相関値が高い２つのフィンガー受信部を常時動作させ、
該受信回路がハンドオーバー状態ではない場合は、前記複数のフィンガー受信部のうち最も相関値が高いフィンガー受信部を常時動作させておくことを特徴とする。
【００２８】
また、アンテナ及び無線部にて受信されたデータを、複数のマルチパスに対応して複数のフィンガー受信部にて逆拡散し、逆拡散したデータを合成し、合成したデータを復号して出力するとともに、復号したデータに基づいて音声の有無を検出し、通話開始後にて前記複数のフィンガー受信部にて逆拡散されたデータに音声が含まれていない場合に、前記複数のフィンガー受信部のうち、前記アンテナ及び無線部にて受信されたデータに音声が含まれているかどうかを検出するために必要となる最小限の数のフィンガー受信部のみを動作させ、他のフィンガー受信部の動作を停止させる受信方法において、
前記複数のフィンガー受信部のうち最も相関値が高いフィンガー受信部を常時動作させておくことを特徴とする。
また、データを受信するためのアンテナ及び無線部と、複数のマルチパスにそれぞれ対応して、前記アンテナ及び無線部を介して受信されたデータを逆拡散する複数のフィンガー受信部と、該複数のフィンガー受信部にて逆拡散されたデータを合成する合成部と、該合成部にて合成されたデータを復号する復号部とを少なくとも有してなる受信回路を用い、前記復号部にて復号されたデータに基づいて音声の有無を検出し、通話開始後にて前記複数のフィンガー受信部にて逆拡散されたデータに音声が含まれていない場合に、前記複数のフィンガー受信部のうち、前記アンテナ及び無線部にて受信されたデータに音声が含まれているかどうかを検出するために必要となる最小限の数のフィンガー受信部のみを動作させ、他のフィンガー受信部の動作を停止させる受信方法において、
前記複数のフィンガー受信部のうち最も相関値が高いフィンガー受信部を常時動作させておくことを特徴とする。
【００２９】
また、音声の有音を検出した場合に全てのフィンガー受信部を動作させることを特徴とする。
【００３０】
また、無線を介して送信されてきた信号を受信するためのアンテナ及び無線部と、複数のマルチパスにそれぞれ対応して、前記アンテナ及び無線部を介して受信された信号を逆拡散する複数のフィンガー受信部と、該複数のフィンガー受信部にて逆拡散された信号を合成する合成部とを少なくとも有し、通話開始後にて前記アンテナ及び無線部にて受信された信号に音声またはデータが含まれていない場合に、前記複数のフィンガー受信部のうち、前記アンテナ及び無線部にて受信された信号に音声またはデータが含まれているかどうかを検出するために必要となる最小限の数のフィンガー受信部のみが動作し、他のフィンガー受信部の動作が停止する受信回路において、
通信を行っている基地局装置が複数存在する場合、該複数の基地局装置から送信され、前記アンテナ及び無線部にて受信された信号に音声またはデータが含まれているかどうかを前記複数の基地局装置から送信された信号毎にそれぞれ検出するために必要となる数のフィンガー受信部のみを動作させることを特徴とする。
【００３１】
また、無線を介して送信されてきた信号を受信するためのアンテナ及び無線部と、複数のマルチパスにそれぞれ対応して、前記アンテナ及び無線部を介して受信された信号を逆拡散する複数のフィンガー受信部と、該複数のフィンガー受信部にて逆拡散された信号を合成する合成部とを少なくとも有し、通話開始後にて前記アンテナ及び無線部にて受信された信号に音声またはデータが含まれていない場合に、前記複数のフィンガー受信部のうち、前記アンテナ及び無線部にて受信された信号に音声またはデータが含まれているかどうかを検出するために必要となる最小限の数のフィンガー受信部のみが動作し、他のフィンガー受信部の動作が停止する受信回路において、
ソフトハンドオーバー状態である場合、該受信回路と通信を行っている基地局装置の数のフィンガー受信部のみを動作させることを特徴とする。
【００３２】
また、データを受信するためのアンテナ及び無線部と、複数のマルチパスにそれぞれ対応して、前記アンテナ及び無線部を介して受信されたデータを逆拡散する複数のフィンガー受信部と、該複数のフィンガー受信部にて逆拡散されたデータを合成する合成部と、前記フィンガー受信部にて逆拡散されたデータに基づいて音声の有無を検出する検出手段と、通話開始後にて前記検出手段にて無音状態が検出された場合に、前記複数のフィンガー受信部のうち、前記検出手段にて音声の有無を検出するために必要となる最小限の数のフィンガー受信部のみを動作させ、他のフィンガー受信部の動作を停止させる制御手段とを少なくとも有してなる受信回路において、
前記制御手段は、前記複数のフィンガー受信部のうち最も相関値が高いフィンガー受信部を常時動作させておくことを特徴とする。
また、データを受信するためのアンテナ及び無線部と、複数のマルチパスにそれぞれ対応して、前記アンテナ及び無線部を介して受信されたデータを逆拡散する複数のフィンガー受信部と、該複数のフィンガー受信部にて逆拡散されたデータを合成する合成部と、該合成部にて合成されたデータを復号する復号部と、前記復号部にて復号されたデータに基づいて音声の有無を検出する検出手段と、通話開始後にて前記検出手段にて無音状態が検出された場合に、前記複数のフィンガー受信部のうち、前記検出手段にて音声の有無を検出するために必要となる最小限の数のフィンガー受信部のみを動作させ、他のフィンガー受信部の動作を停止させる制御手段とを少なくとも有してなる受信回路において、
前記制御手段は、前記複数のフィンガー受信部のうち最も相関値が高いフィンガー受信部を常時動作させておくことを特徴とする。
【００３３】
また、データを受信するためのアンテナ及び無線部と、複数のマルチパスにそれぞれ対応して、前記アンテナ及び無線部を介して受信されたデータを逆拡散する複数のフィンガー受信部と、該複数のフィンガー受信部にて逆拡散されたデータを合成する合成部と、前記フィンガー受信部にて逆拡散されたデータに基づいて音声の有無を検出する検出手段と、通話開始後にて前記検出手段にて無音状態が検出された場合に、前記複数のフィンガー受信部のうち、前記検出手段にて音声の有無を検出するために必要となる最小限の数のフィンガー受信部のみを動作させ、他のフィンガー受信部の動作を停止させる制御手段とを少なくとも有してなる受信回路において、
前記制御手段は、該受信回路がハンドオーバー状態である場合は、前記複数のフィンガー受信部のうち最低２つのフィンガー受信部を常時動作させ、該受信回路がハンドオーバー状態ではない場合は、前記複数のフィンガー受信部のうち１つのフィンガー受信部を常時動作させておくことを特徴とする。
また、データを受信するためのアンテナ及び無線部と、複数のマルチパスにそれぞれ対応して、前記アンテナ及び無線部を介して受信されたデータを逆拡散する複数のフィンガー受信部と、該複数のフィンガー受信部にて逆拡散されたデータを合成する合成部と、該合成部にて合成されたデータを復号する復号部と、前記復号部にて復号されたデータに基づいて音声の有無を検出する検出手段と、通話開始後にて前記検出手段にて無音状態が検出された場合に、前記複数のフィンガー受信部のうち、前記検出手段にて音声の有無を検出するために必要となる最小限の数のフィンガー受信部のみを動作させ、他のフィンガー受信部の動作を停止させる制御手段とを少なくとも有してなる受信回路において、
前記制御手段は、該受信回路がハンドオーバー状態である場合は、前記複数のフィンガー受信部のうち最低２つのフィンガー受信部を常時動作させ、該受信回路がハンドオーバー状態ではない場合は、前記複数のフィンガー受信部のうち１つのフィンガー受信部を常時動作させておくことを特徴とする。
【００３４】
また、前記制御手段は、該受信回路がハンドオーバー状態である場合は、前記複数のフィンガー受信部のうち最も相関値が高い２つのフィンガー受信部を常時動作させ、該受信回路がハンドオーバー状態ではない場合は、前記複数のフィンガー受信部のうち最も相関値が高いフィンガー受信部を常時動作させておくことを特徴とする。
【００３５】
（作用）
上記のように構成された本発明においては、フィンガー受信部にて逆拡散されたデータに基づいて音声の有無が検出され、該検出結果に基づいて、複数のフィンガー受信部のうち、動作するフィンガー受信部の数が制御される。
【００３６】
具体的には、検出手段において有音が検出された場合は、全てのフィンガー受信部が動作するように制御され、検出手段において無音が検出された場合は、音声の有無を検出するために必要となる最小限のフィンガー受信部のみ（好ましくは１または２）が動作するように制御される。
【００３７】
それにより、無音状態において無駄な電流が消費されることはない。
【００３８】
【発明の実施の形態】
以下に、本発明の実施の形態について図面を参照して説明する。
【００３９】
図１は、本発明の受信回路が設けられた移動端末を有する移動通信システムの一構成例を示す図である。
【００４０】
本構成例は図１に示すように、本発明の受信回路を有する複数の移動端末１０ａ，１０ｂと、サービスエリア４０ａ，４０ｂをそれぞれ有し、移動端末１０ａ，１０ｂと無線回線を介して接続される基地局装置２０ａ，２０ｂと、基地局装置２０ａ，２０ｂの交換制御を行う交換機３０とから構成されている。なお、移動端末１０ａ，１０ｂ及び基地局装置２０ａ，２０ｂにおいては、２つに限らず複数設けられているものとする。
【００４１】
上記のように構成された移動通信システムにおいては、移動端末１０ａ，１０ｂが基地局装置２０ａのサービスエリア４０ａに存在する場合、移動端末１０ａ，１０ｂは基地局２０ａによるサービスを受け、また、移動端末１０ａ，１０ｂが基地局装置２０ｂのサービスエリア４０ｂに存在する場合は、移動端末１０ａ，１０ｂは基地局２０ｂによるサービスを受ける。さらに、移動端末１０ａ，１０ｂが複数のサービスエリアの境界付近に存在する場合は、移動端末１０ａ，１０ｂは複数の基地局装置との間にて通信を行う（ソフトハンドオーバー）。
【００４２】
以下に、上述した移動端末１０ａ，１０ｂ内に設けられた受信回路について、いくつかの具体例を挙げて詳細に説明する。
【００４３】
（第１の実施の形態）
図２は、本発明の受信回路の第１の実施の形態を示すブロック図である。
【００４４】
本形態は図２に示すように、データを受信するためのアンテナ１及び無線部２と、アンテナ１及び無線部２を介して受信されたデータが入力され、該データの逆拡散を複数のマルチパスに対応して行う複数のフィンガー受信部３−１〜３−ｎと、フィンガー受信部３−１〜３−ｎにて逆拡散されたデータを合成する最大比合成部４と、各マルチパス成分を検出するサーチエンジン５と、フィンガー受信部３−１〜３−ｎの動作タイミングを制御するタイミング制御部７と、サーチエンジン５における検出結果に基づいてタイミング制御部７の動作を制御するＣＰＵ６と、フィンガー受信部３−１にて逆拡散されたデータに基づいて音声の有無を検出する検出手段である有音／無音検出部８と、有音／無音検出部８における検出結果に基づいてフィンガー受信部３−２〜３−ｎに対するクロックの供給を制御する制御手段であるクロック制御部９と、クロック制御部９の制御によりフィンガー受信部３−２〜３−ｎのそれぞれに対するクロックの供給を切り替えるＳＷ１２−２〜１２−ｎとから構成されている。なお、タイミング制御部７からは、フィンガー受信部３−１〜３−ｎの同期を保持するためのフレーム信号がフィンガー受信部３−１〜３−ｎに対して常時出力されている。
【００４５】
以下に、上記のように構成された受信回路におけるフィンガー受信部の動作の制御について説明する。
【００４６】
図３は、図２に示した受信回路の動作を説明するためのフローチャートである。
【００４７】
基地局２０ａ（図１参照）と移動端末１０ａ（図１参照）との間で音声通話が開始され（ステップＳ１）、アンテナ１及び無線部２を介してデータが受信されると（ステップＳ２）、まず、クロック制御部９による制御によってＳＷ１２−２〜１２−ｎが全て導通状態となり、フィンガー受信部３−１〜３−ｎの全てにクロックが供給され、それにより、フィンガー受信部３−１〜３−ｎにおいてアンテナ１及び無線部２を介して受信されたデータが逆拡散される（ステップＳ３）。
【００４８】
次に、有音／無音検出部８において、フィンガー受信部３−１にて逆拡散されたデータに基づいて音声の有無が検出され（ステップＳ４）、有音が検出された場合、ステップＳ３に戻り、フィンガー受信部３−１〜３−ｎにおいてアンテナ１及び無線部２を介して受信されたデータが逆拡散される。
【００４９】
また、ステップＳ４において無音が検出された場合、クロック制御部９による制御によってＳＷ１２−２〜１２−ｎが開放状態となり、フィンガー受信部３−２〜３−ｎにクロックが供給されなくなる。
【００５０】
それにより、フィンガー受信部３−２〜３−ｎの動作が停止し、アンテナ１及び無線部２を介して受信されたデータがフィンガー受信部３−１のみにて逆拡散される（ステップＳ５）。
【００５１】
そして、ステップＳ４に戻り、有音／無音検出部８において、フィンガー受信部３−１に入力されたデータに基づいて音声の有無が検出される。
【００５２】
（第２の実施の形態）
上述した第１の実施の形態においては、有音／無音検出部が１つ設けられ、有音／無音検出部に接続された１つのフィンガー受信部が常時動作し、該フィンガー受信部に入力されたデータに基づいて音声の有無が検出され、該検出結果に基づいて他のフィンガー受信部の動作が制御されているが、複数の有音／無音検出部を複数のフィンガー受信部のそれぞれに接続されるように設け、最も相関値の高いフィンガー受信部を常時動作させ、該フィンガー受信部に接続された有音／無音検出部における音声の有無の検出結果に基づいて他のフィンガー受信部の動作を制御することもできる。
【００５３】
図４は、本発明の受信回路の第２の実施の形態を示すブロック図である。
【００５４】
本形態は図４に示すように、データを受信するためのアンテナ１及び無線部２と、アンテナ１及び無線部２を介して受信されたデータが入力され、該データの逆拡散を複数のマルチパスに対応して行う複数のフィンガー受信部３−１〜３−ｎと、フィンガー受信部３−１〜３−ｎにて逆拡散されたデータを合成する最大比合成部４と、各マルチパス成分を検出するサーチエンジン５と、フィンガー受信部３−１〜３−ｎの動作タイミングを制御するタイミング制御部７と、サーチエンジン５における検出結果に基づいてタイミング制御部７の動作を制御するＣＰＵ６と、フィンガー受信部３−１〜３−ｎのぞれぞれにて逆拡散されたデータに基づいて音声の有無をそれぞれ検出する有音／無音検出部８−１〜８−ｎと、ＣＰＵ６による制御または有音／無音検出部８−１〜８−ｎにおける検出結果に基づいてフィンガー受信部３−１〜３−ｎに対するクロックの供給を制御するクロック制御部９と、クロック制御部９の制御によりフィンガー受信部３−１〜３−ｎのそれぞれに対するクロックの供給を切り替えるＳＷ１２−１〜１２−ｎとから構成されている。なお、タイミング制御部７からは、フィンガー受信部３−１〜３−ｎの同期を保持するためのフレーム信号がフィンガー受信部３−１〜３−ｎに対して常時出力されている。
【００５５】
以下に、上記のように構成された受信回路におけるフィンガー受信部の動作の制御について説明する。
【００５６】
図５は、図４に示した受信回路の動作を説明するためのフローチャートである。
【００５７】
基地局２０ａ（図１参照）と移動端末１０ａ（図１参照）との間で音声通話が開始され（ステップＳ１１）、アンテナ１及び無線部２を介してデータが受信されると（ステップＳ１２）、まず、クロック制御部９による制御によってＳＷ１２−１〜１２−ｎが全て導通状態となり、フィンガー受信部３−１〜３−ｎの全てにクロックが供給され、それにより、フィンガー受信部３−１〜３−ｎにおいてアンテナ１及び無線部２を介して受信されたデータが逆拡散される（ステップＳ１３）。
【００５８】
次に、有音／無音検出部８−１〜８−ｎにおいて、フィンガー受信部３−１〜３−ｎにて逆拡散されたデータに基づいて音声の有無が検出され（ステップＳ１４）、有音が検出された場合、ステップＳ１３に戻り、フィンガー受信部３−１〜３−ｎにおいてアンテナ１及び無線部２を介して受信されたデータが逆拡散される。
【００５９】
また、ステップＳ１４において無音が検出された場合、フィンガー受信部３−１〜３−ｎのうち最も相関値が高いフィンガー受信部がＣＰＵ６からクロック制御部９に対して通知され、クロック制御部９の制御によって、最も相関値が高いフィンガー受信部にクロックが供給され、他のフィンガー受信部にクロックが供給されなくなる。
【００６０】
ここで、フィンガー受信部３−１が最も相関値が高いとすると、クロック制御部９による制御によってＳＷ１２−１が導通状態、ＳＷ１２−２〜１２−ｎが開放状態となり、フィンガー受信部３−１にクロックが供給され、フィンガー受信部３−２〜３−ｎにクロックが供給されなくなる。
【００６１】
それにより、フィンガー受信部３−２〜３−ｎの動作が停止し、アンテナ１及び無線部２を介して受信されたデータがフィンガー受信部３−１のみにて逆拡散される（ステップＳ１５）。
【００６２】
そして、ステップＳ１４に戻り、有音／無音検出部８−１において、フィンガー受信部３−１に入力されたデータに基づいて音声の有無が検出される。
【００６３】
（第３の実施の形態）
上述した第１及び第２の実施の形態においては、音声復号前に有音／無音検出が行われているが、音声復号後に有音／無音検出を行い、その検出結果に基づいてフィンガー受信部の動作を制御することもできる。
【００６４】
図６は、本発明の受信回路の第３の実施の形態を示すブロック図である。
【００６５】
本形態は図６に示すように、データを受信するためのアンテナ１及び無線部２と、アンテナ１及び無線部２を介して受信されたデータが入力され、該データの逆拡散を複数のマルチパスに対応して行う複数のフィンガー受信部３−１〜３−ｎと、フィンガー受信部３−１〜３−ｎにて逆拡散されたデータを合成する最大比合成部４と、各マルチパス成分を検出するサーチエンジン５と、フィンガー受信部３−１〜３−ｎの動作タイミングを制御するタイミング制御部７と、サーチエンジン５における検出結果に基づいてタイミング制御部７の動作を制御するＣＰＵ６と、最大比合成部４にて合成されたデータをビタビ復号する復号部１１と、復号部１１にて復号されたデータに基づいて音声の有無を検出する検出手段である有音／無音検出部１８と、ＣＰＵ６による制御または有音／無音検出部１８における検出結果に基づいてフィンガー受信部３−１〜３−ｎに対するクロックの供給を制御するクロック制御部９と、クロック制御部９の制御によりフィンガー受信部３−１〜３−ｎのそれぞれに対するクロックの供給を切り替えるＳＷ１２−１〜１２−ｎとから構成されている。なお、タイミング制御部７からは、フィンガー受信部３−１〜３−ｎの同期を保持するためのフレーム信号がフィンガー受信部３−１〜３−ｎに対して常時出力されている。
【００６６】
以下に、上記のように構成された受信回路におけるフィンガー受信部の動作の制御について説明する。
【００６７】
図７は、図６に示した受信回路の動作を説明するためのフローチャートである。
【００６８】
基地局２０ａ（図１参照）と移動端末１０ａ（図１参照）との間で音声通話が開始され（ステップＳ２１）、アンテナ１及び無線部２を介してデータが受信されると（ステップＳ２２）、まず、クロック制御部９による制御によってＳＷ１２−１〜１２−ｎが全て導通状態となり、フィンガー受信部３−１〜３−ｎの全てにクロックが供給され、それにより、フィンガー受信部３−１〜３−ｎにおいてアンテナ１及び無線部２を介して受信されたデータが逆拡散される（ステップＳ２３）。
【００６９】
次に、最大比合成部４において、フィンガー受信部３−１〜３−ｎにて逆拡散されたデータが合成される（ステップＳ２４）。
【００７０】
次に、復号部１１において、最大比合成部４にて合成されたデータがビタビ復号され、出力される（ステップＳ２５）。
【００７１】
次に、有音／無音検出部１８において、復号部１１から出力されたデータに基づいて音声の有無が検出され（ステップＳ２６）、有音が検出された場合、ステップＳ２３に戻り、フィンガー受信部３−１〜３−ｎにおいてアンテナ１及び無線部２を介して受信されたデータが逆拡散される。
【００７２】
また、ステップＳ２６において無音が検出された場合、フィンガー受信部３−１〜３−ｎのうち最も相関値が高いフィンガー受信部がＣＰＵ６からクロック制御部９に対して通知され、クロック制御部９の制御によって、最も相関値が高いフィンガー受信部にクロックが供給され、他のフィンガー受信部にクロックが供給されなくなる。
【００７３】
ここで、フィンガー受信部３−１が最も相関値が高いとすると、クロック制御部９による制御によってＳＷ１２−１が導通状態、ＳＷ１２−２〜１２−ｎが開放状態となり、フィンガー受信部３−１にクロックが供給され、フィンガー受信部３−２〜３−ｎにクロックが供給されなくなる。
【００７４】
それにより、フィンガー受信部３−２〜３−ｎの動作が停止し、アンテナ１及び無線部２を介して受信されたデータがフィンガー受信部３−１のみにて逆拡散される（ステップＳ２７）。
【００７５】
そして、フィンガー受信部３−１にて逆拡散されたデータが最大比合成部４を介して復号部１１に入力され、復号部１１にてビタビ複合され、その後、有音／無音検出部１８において、復号部１１にて復号されたデータに基づいて音声の有無が検出される。
【００７６】
なお、第３の実施の形態においては、第２の実施の形態のように最も相関値が高いフィンガー受信部を動作させているが、第１の実施の形態のように予め決められた１つのフィンガー受信部について動作をさせてもよい。
【００７７】
（第４の実施の形態）
移動通信システムにおいては、図１に示した移動端末１０ｂのように、移動端末が２つの基地局装置２０ａ，２０ｂのサービスエリア４０ａ，４０ｂが重なる地域に存在する場合、該移動端末は、最低２つの基地局装置からのサービスを受けるハンドオーバー状態となる。
【００７８】
そのため、その地域においては、最低２つのフィンガー受信部を動作させる必要がある。
【００７９】
図８は、本発明の受信回路の第４の実施の形態を示すブロック図である。
【００８０】
本形態は図８に示すように、データを受信するためのアンテナ１及び無線部２と、アンテナ１及び無線部２を介して受信されたデータが入力され、該データの逆拡散を複数のマルチパスに対応して行う複数のフィンガー受信部３−１〜３−ｎと、フィンガー受信部３−１〜３−ｎにて逆拡散されたデータを合成する最大比合成部４と、各マルチパス成分を検出するサーチエンジン５と、フィンガー受信部３−１〜３−ｎの動作タイミングを制御するタイミング制御部７と、サーチエンジン５における検出結果に基づいてタイミング制御部７の動作を制御するＣＰＵ６と、フィンガー受信部３−１，３−２にて逆拡散されたデータに基づいて音声の有無をそれぞれ検出する有音／無音検出部８−１，８−２と、有音／無音検出部８−１，８−２における検出結果に基づいてフィンガー受信部３−３〜３−ｎに対するクロックの供給を制御するクロック制御部９と、クロック制御部９の制御によりフィンガー受信部３−３〜３−ｎのそれぞれに対するクロックの供給を切り替えるＳＷ１２−３〜１２−ｎとから構成されている。なお、タイミング制御部７からは、フィンガー受信部３−１〜３−ｎの同期を保持するためのフレーム信号がフィンガー受信部３−１〜３−ｎに対して常時出力されている。
【００８１】
以下に、上記のように構成された受信回路におけるフィンガー受信部の動作の制御について説明する。
【００８２】
図９は、図８に示した受信回路の動作を説明するためのフローチャートである。
【００８３】
基地局２０ａ（図１参照）と移動端末１０ａ（図１参照）との間で音声通話が開始され（ステップＳ３１）、アンテナ１及び無線部２を介してデータが受信されると（ステップＳ３２）、まず、クロック制御部９による制御によってＳＷ１２−３〜１２−ｎが全て導通状態となり、フィンガー受信部３−１〜３−ｎの全てにクロックが供給され、それにより、フィンガー受信部３−１〜３−ｎにおいてアンテナ１及び無線部２を介して受信されたデータが逆拡散される（ステップＳ３３）。
【００８４】
次に、有音／無音検出部８−１，８−２において、フィンガー受信部３−１，３−２にて逆拡散されたデータに基づいて音声の有無がそれぞれ検出され（ステップＳ３４）、有音／無音検出部８−１，８−２のうち少なくとも一方で有音が検出された場合、ステップＳ３３に戻り、フィンガー受信部３−１〜３−ｎにおいてアンテナ１及び無線部２を介して受信されたデータが逆拡散される。
【００８５】
また、ステップＳ３４において有音／無音検出部８−１，８−２の両方で無音が検出された場合、クロック制御部９による制御によってＳＷ１２−３〜１２−ｎが開放状態となり、フィンガー受信部３−３〜３−ｎにクロックが供給されなくなる。
【００８６】
それにより、フィンガー受信部３−３〜３−ｎの動作が停止し、アンテナ１及び無線部２を介して受信されたデータがフィンガー受信部３−１，３−２のみにて逆拡散される（ステップＳ３５）。
【００８７】
そして、ステップＳ３４に戻り、有音／無音検出部８−１，８−２において、フィンガー受信部３−１，３−２に入力されたデータに基づいて音声の有無がそれぞれ検出される。
【００８８】
なお、第４の実施の形態においては、２つのフィンガー受信部を動作させているが、実際のシステムまたはゾーン構成におけるソフトハンドオーバー時に通信が行われる基地局装置の数（好ましくは３）に基づいて、動作させる必要のあるフィンガー受信部の数を設定することが好ましい。
【００８９】
（第５の実施の形態）
上述した第４の実施の形態においては、ハンドオーバー状態を考慮して、有音／無音検出部が２つ設けられ、有音／無音検出部に接続された２つのフィンガー受信部が常時動作し、該フィンガー受信部に入力されたデータに基づいて音声の有無が検出され、該検出結果に基づいて他のフィンガー受信部の動作が制御されているが、無音が検出された場合に、移動端末がソフトハンドオーバー状態であれば最低２つのフィンガー受信部を動作させ、移動端末がソフトハンドオーバー状態でなければ１つのフィンガー受信部のみを動作させることにより、無音状態におけるさらなる消費電流の低減を図ることもできる。
【００９０】
図１０は、本発明の受信回路の第５の実施の形態を示すブロック図である。
【００９１】
本形態は図１０に示すように、データを受信するためのアンテナ１及び無線部２と、アンテナ１及び無線部２を介して受信されたデータが入力され、該データの逆拡散を複数のマルチパスに対応して行う複数のフィンガー受信部３−１〜３−ｎと、フィンガー受信部３−１〜３−ｎにて逆拡散されたデータを合成する最大比合成部４と、各マルチパス成分を検出するサーチエンジン５と、フィンガー受信部３−１〜３−ｎの動作タイミングを制御するタイミング制御部７と、サーチエンジン５における検出結果に基づいてタイミング制御部７の動作を制御するＣＰＵ６と、フィンガー受信部３−１，３−２のぞれぞれにて逆拡散されたデータに基づいて音声の有無をそれぞれ検出する有音／無音検出部８−１，８−２と、ＣＰＵ６による制御または有音／無音検出部８−１，８−２における検出結果に基づいてフィンガー受信部３−２〜３−ｎに対するクロックの供給を制御するクロック制御部９と、クロック制御部９の制御によりフィンガー受信部３−２〜３−ｎのそれぞれに対するクロックの供給を切り替えるＳＷ１２−２〜１２−ｎとから構成されている。なお、タイミング制御部７からは、フィンガー受信部３−１〜３−ｎの同期を保持するためのフレーム信号がフィンガー受信部３−１〜３−ｎに対して常時出力されている。
【００９２】
以下に、上記のように構成された受信回路におけるフィンガー受信部の動作の制御について説明する。
【００９３】
図１１は、図１０に示した受信回路の動作を説明するためのフローチャートである。
【００９４】
基地局２０ａ（図１参照）と移動端末１０ａ（図１参照）との間で音声通話が開始され（ステップＳ４１）、アンテナ１及び無線部２を介してデータが受信されると（ステップＳ４２）、まず、クロック制御部９による制御によってＳＷ１２−２〜１２−ｎが全て導通状態となり、フィンガー受信部３−１〜３−ｎの全てにクロックが供給され、それにより、フィンガー受信部３−１〜３−ｎにおいてアンテナ１及び無線部２を介して受信されたデータが逆拡散される（ステップＳ４３）。
【００９５】
次に、有音／無音検出部８−１，８−２において、フィンガー受信部３−１，３−２にて逆拡散されたデータに基づいて音声の有無が検出され（ステップＳ４４）、有音／無音検出部８−１，８−２のうち少なくとも一方で有音が検出された場合、ステップＳ４３に戻り、フィンガー受信部３−１〜３−ｎにおいてアンテナ１及び無線部２を介して受信されたデータが逆拡散される。
【００９６】
また、ステップＳ４４において有音／無音検出部８−１，８−２の両方で無音が検出された場合、サーチエンジン５及びＣＰＵ６において移動端末がハンドオーバー状態であるかが判断され（ステップＳ４５）、ハンドオーバー状態でないと判断された場合、クロック制御部９による制御によってＳＷ１２−２〜１２−ｎが開放状態となり、フィンガー受信部３−２〜３−ｎにクロックが供給されなくなる。
【００９７】
それにより、フィンガー受信部３−２〜３−ｎの動作が停止し、アンテナ１及び無線部２を介して受信されたデータがフィンガー受信部３−１のみにて逆拡散される（ステップＳ４６）。
【００９８】
そして、ステップＳ４４に戻り、有音／無音検出部８−１において、フィンガー受信部３−１に入力されたデータに基づいて音声の有無が検出される。
【００９９】
また、ステップＳ４５において移動端末がソフトハンドオーバー状態であると判断された場合は、クロック制御部９による制御によって、ＳＷ１２−２が導通状態、ＳＷ１２−３〜１２−ｎが開放状態にそれぞれ設定され、フィンガー受信部３−３〜３−ｎにクロックが供給されなくなる。なお、この場合、フィンガー受信部３−１にて一方の基地局装置からの信号が受信され、フィンガー受信部３−２にて他方の基地局装置からの信号が受信されるものとする。
【０１００】
それにより、フィンガー受信部３−３〜３−ｎの動作が停止し、アンテナ１及び無線部２を介して受信されたデータがフィンガー受信部３−１，３−２のみにて逆拡散される（ステップＳ４７）。
【０１０１】
そして、ステップＳ４４に戻り、有音／無音検出部８−１，８−２において、フィンガー受信部３−１，３−２に入力されたデータに基づいて音声の有無が検出される。
【０１０２】
（第６の実施の形態）
上述した第５の実施の形態においては、有音／無音検出部が２つ設けられ、有音／無音検出部に接続された１つのフィンガー受信部が常時動作し、また、ハンドオーバー時には有音／無音検出部に接続された２つのフィンガー受信部が常時動作し、該フィンガー受信部に入力されたデータに基づいて音声の有無が検出され、該検出結果に基づいて他のフィンガー受信部の動作が制御されているが、複数の有音／無音検出部を複数のフィンガー受信部のそれぞれに接続されるように設け、最も相関値の高い１つまたは２つのフィンガー受信部を動作させ、該フィンガー受信部に接続された有音／無音検出部における音声の有無の検出結果に基づいて他のフィンガー受信部の動作を制御することもできる。
【０１０３】
図１２は、本発明の受信回路の第６の実施の形態を示すブロック図である。
【０１０４】
本形態は図１２に示すように、データを受信するためのアンテナ１及び無線部２と、アンテナ１及び無線部２を介して受信されたデータが入力され、該データの逆拡散を複数のマルチパスに対応して行う複数のフィンガー受信部３−１〜３−ｎと、フィンガー受信部３−１〜３−ｎにて逆拡散されたデータを合成する最大比合成部４と、各マルチパス成分を検出するサーチエンジン５と、フィンガー受信部３−１〜３−ｎの動作タイミングを制御するタイミング制御部７と、サーチエンジン５における検出結果に基づいてタイミング制御部７の動作を制御するＣＰＵ６と、フィンガー受信部３−１〜３−ｎのぞれぞれにて逆拡散されたデータに基づいて音声の有無をそれぞれ検出する有音／無音検出部８−１〜８−ｎと、ＣＰＵ６による制御または有音／無音検出部８−１〜８−ｎにおける検出結果に基づいてフィンガー受信部３−１〜３−ｎに対するクロックの供給を制御するクロック制御部９と、クロック制御部９の制御によりフィンガー受信部３−１〜３−ｎのそれぞれに対するクロックの供給を切り替えるＳＷ１２−１〜１２−ｎとから構成されている。なお、タイミング制御部７からは、フィンガー受信部３−１〜３−ｎの同期を保持するためのフレーム信号がフィンガー受信部３−１〜３−ｎに対して常時出力されている。
【０１０５】
以下に、上記のように構成された受信回路におけるフィンガー受信部の動作の制御について説明する。
【０１０６】
図１３は、図１２に示した受信回路の動作を説明するためのフローチャートである。
【０１０７】
基地局２０ａ（図１参照）と移動端末１０ａ（図１参照）との間で音声通話が開始され（ステップＳ５１）、アンテナ１及び無線部２を介してデータが受信されると（ステップＳ５２）、まず、クロック制御部９による制御によってＳＷ１２−１〜１２−ｎが全て導通状態となり、フィンガー受信部３−１〜３−ｎの全てにクロックが供給され、それにより、フィンガー受信部３−１〜３−ｎにおいてアンテナ１及び無線部２を介して受信されたデータが逆拡散される（ステップＳ５３）。
【０１０８】
次に、有音／無音検出部８−１〜８−ｎにおいて、フィンガー受信部３−１〜３−ｎにて逆拡散されたデータに基づいて音声の有無が検出され（ステップＳ５４）、有音が検出された場合、ステップＳ５３に戻り、フィンガー受信部３−１〜３−ｎにおいてアンテナ１及び無線部２を介して受信されたデータが逆拡散される。
【０１０９】
また、ステップＳ５４において無音が検出された場合、サーチエンジン５及びＣＰＵ６において移動端末がハンドオーバー状態であるかが判断され（ステップＳ５５）、ハンドオーバー状態でないと判断された場合、フィンガー受信部３−１〜３−ｎのうち最も相関値が高いフィンガー受信部がＣＰＵ６からクロック制御部９に対して通知され、クロック制御部９の制御によって、最も相関値が高いフィンガー受信部にクロックが供給され、他のフィンガー受信部にクロックが供給されなくなる。
【０１１０】
ここで、フィンガー受信部３−１が最も相関値が高いとすると、クロック制御部９による制御によってＳＷ１２−１が導通状態、ＳＷ１２−２〜１２−ｎが開放状態となり、フィンガー受信部３−１にクロックが供給され、フィンガー受信部３−２〜３−ｎにクロックが供給されなくなる。
【０１１１】
それにより、フィンガー受信部３−２〜３−ｎの動作が停止し、アンテナ１及び無線部２を介して受信されたデータがフィンガー受信部３−１のみにて逆拡散される（ステップＳ５６）。
【０１１２】
そして、ステップＳ５４に戻り、有音／無音検出部８−１において、フィンガー受信部３−１に入力されたデータに基づいて音声の有無が検出される。
【０１１３】
また、ステップＳ５５において移動端末がハンドオーバー状態であると判断された場合は、フィンガー受信部３−１〜３−ｎのうち最も相関値が高いフィンガー受信部と２番目に相関値が高いフィンガー受信部とがＣＰＵ６からクロック制御部９に対して通知され、クロック制御部９の制御によって、最も相関値が高いフィンガー受信部と２番目に相関値が高いフィンガー受信部にクロックが供給され、他のフィンガー受信部にクロックが供給されなくなる。
【０１１４】
ここで、フィンガー受信部３−１が最も相関値が高く、フィンガー受信部３−２が２番目に相関値が高いとすると、クロック制御部９による制御によってＳＷ１２−１，１２−２が導通状態、ＳＷ１２−３〜１２−ｎが開放状態となり、フィンガー受信部３−１，３−２にクロックが供給され、フィンガー受信部３−３〜３−ｎにクロックが供給されなくなる。
【０１１５】
それにより、フィンガー受信部３−３〜３−ｎの動作が停止し、アンテナ１及び無線部２を介して受信されたデータがフィンガー受信部３−１，３−２のみにて逆拡散される（ステップＳ５７）。
【０１１６】
そして、ステップＳ５４に戻り、有音／無音検出部８−１，８−２において、フィンガー受信部３−１，３−２に入力されたデータに基づいて音声の有無が検出される。
【０１１７】
なお、上述した第１〜第６の実施の形態においては、音声通話時における音声の有無によってフィンガー受信部の動作が制御されているが、本発明は、音声通話時に限らず、受信データがバーストであるような通信の場合、受信データが存在しない区間でパワーセーブ受信を行うことも考えられる。
【０１１８】
【発明の効果】
以上説明したように構成された本発明においては、フィンガー受信部にて逆拡散されたデータに基づいて音声の有無を検出する検出手段と、検出手段における検出結果に基づいて複数のフィンガー受信部のうち動作するフィンガー受信部の数を制御する制御手段とを設け、検出手段において有音が検出された場合は、全てのフィンガー受信部が動作するように制御し、検出手段において無音が検出された場合は、音声の有無を検出するために必要となる１つまたは２つのフィンガー受信部のみが動作するように制御するような構成としたため、無音状態における消費電流の低減を図ることができる。
【図面の簡単な説明】
【図１】本発明の受信回路が設けられた移動端末を有する移動通信システムの一構成例を示す図である。
【図２】本発明の受信回路の第１の実施の形態を示すブロック図である。
【図３】図２に示した受信回路の動作を説明するためのフローチャートである。
【図４】本発明の受信回路の第２の実施の形態を示すブロック図である。
【図５】図４に示した受信回路の動作を説明するためのフローチャートである。
【図６】本発明の受信回路の第３の実施の形態を示すブロック図である。
【図７】図６に示した受信回路の動作を説明するためのフローチャートである。
【図８】本発明の受信回路の第４の実施の形態を示すブロック図である。
【図９】図８に示した受信回路の動作を説明するためのフローチャートである。
【図１０】本発明の受信回路の第５の実施の形態を示すブロック図である。
【図１１】図１０に示した受信回路の動作を説明するためのフローチャートである。
【図１２】本発明の受信回路の第６の実施の形態を示すブロック図である。
【図１３】図１２に示した受信回路の動作を説明するためのフローチャートである。
【図１４】従来の移動通信システムにおける移動端末内に設けられた受信回路の一構成例を示すブロック図である。
【符号の説明】
１    アンテナ
２    無線部
３−１〜３−ｎ    フィンガー受信部
４    最大比合成部
５    サーチエンジン
６    ＣＰＵ
７    タイミング制御部
８，８−１〜８−ｎ，１８    有音／無音検出部
９    クロック制御部
１０ａ，１０ｂ    移動端末
１１    復号部
１２−１〜１２−ｎ    ＳＷ
２０ａ，２０ｂ    基地局装置
３０    交換機
４０ａ，４０ｂ    サービスエリア
【図１】
0003555659.tif 000002
【図２】
0003555659.tif 000003
【図３】
0003555659.tif 000004
【図４】
0003555659.tif 000005
【図５】
0003555659.tif 000006
【図６】
0003555659.tif 000007
【図７】
0003555659.tif 000008
【図８】
0003555659.tif 000009
【図９】
0003555659.tif 000010
【図１０】
0003555659.tif 000011
【図１１】
0003555659.tif 000012
【図１２】
0003555659.tif 000013
【図１３】
0003555659.tif 000014
【図１４】
0003555659.tif 000015